(57)【要約】【課題】画面形状から文字数を制限しなければならない階層化されたメニューリストの画面表示において、階層化表示を容易にする表示方法を提供する。【解決手段】表示された項目が次階層を有する場合は、例えば、表示された項目の背景欄の右辺部を、右方向を示す図形１４−１〜５とし、表示された項目が前階層を有する場合は、表示された項目の前記背景欄の左辺部を、左方向を示す図形１５−１〜４とする。【選択図】      図１
2008040968.tif 000002
【特許請求の範囲】
【請求項１】
無線機の表示画面に一覧表示される階層化メニューリストの表示方法であって、
表示された項目の背景欄の右辺部を、右方向を示す図形とし、左辺部を、左方向を示す図形とし、
前記右方向を示す図形、又は前記左方向を示す図形のいずれか一方を、前記表示された項目の次階層に対応させ、他方を前階層に対応させることを特徴とする階層化メニューリストの表示方法。
【請求項２】
前記右方向を示す図形、又は前記左方向を示す図形のいずれか一方を選択すると前記対応した次階層が表示され、前記他方を選択すると前記対応した前階層が表示されることを特徴とする請求項１に記載の階層化メニューリストの表示方法。
【請求項３】
前記右方向を示す図形と前記左方向を示す図形とが、強調表示されることを特徴とする請求項１又は２のいずれかに記載の階層化メニューリストの表示方法。
【請求項４】
前記強調表示は、前記図形の全体の明るさが均等に変化して表示されるか、又は前記図形の明るさが左右の方向に向かって次第に強調されるように変化して表示されることを特徴とする請求項１乃至３のいずれかに記載の階層化メニューリストの表示方法。
【発明の詳細な説明】
【技術分野】
【０００１】
本発明は、無線機などの操作画面の表示技術に係り、詳しくは、階層化されたメニューリストの表示方法に関する。
【背景技術】
【０００２】
従来、無線機の表示画面のサイズが比較的限られていることから、表示する文字数も限定され、十分な表示内容を記述することが困難であった。図３は従来の階層化されたメニューリストを表示した表示画面である。図３において、表示画面３０の第１行目３１に表示されるＳｅｌｅｃｔｉｖｅ  Ｃａｌｌは、選択呼出し、第２行目３２に表示されるＳｔａｔａｓｕ  Ｃａｌｌは、自機のステータスを相手に伝える、第３行目３３に表示されるＳｔａｔｕｓ  Ｒｅｑｕｅｓｔは、相手のステータスを要求する、内容を示している。第１行目３１の斜線は、選択されて表示が反転している状態を示している。
【０００３】
このように、各行の表示内容も文字数が限定されるため、場合によるとマニュアルなどによりリストの示す内容を確認する必要が生じ、また階層化されたメニューリストにおいては、次階層や前階層についての有無の表示が困難な状況であった。特許文献１には、下位メニューが表示されている上位メニューに関して、その相関を示すマークを他の項目に比べて認識し易い表示を行うことや、メニューの階層が多い場合に必要に応じて上位のメニューから画面外にスクロールアウトして、ユーザ所望の項目を的確に選択させるＧＵＩについての記載がされている。
【特許文献１】特開２００１−２６５４７７号公報
【発明の開示】
【発明が解決しようとする課題】
【０００４】
本発明は、このような問題を解決するためになされたものであり、その目的は、画面形状から文字数を制限しなければならない階層化されたメニューリストの画面表示において、階層化表示を容易にする表示方法を提供することにある。
【課題を解決するための手段】
【０００５】
本発明の階層化メニューリストの表示方法は、無線機の表示画面に一覧表示される階層化メニューリストの表示方法であって、表示された項目の背景欄の右辺部を、右方向を示す図形とし、左辺部を、左方向を示す図形とし、右方向を示す図形、又は左方向を示す図形のいずれか一方を、表示された項目の次階層に対応させ、他方を前階層に対応させることを特徴とする。
【０００６】
本発明の階層化メニューリストの表示方法は、右方向を示す図形、又は左方向を示す図形のいずれか一方を選択すると対応した次階層が表示され、他方を選択すると対応した前階層が表示されることを特徴とする。
【０００７】
本発明の階層化メニューリストの表示方法の右方向を示す図形と左方向を示す図形とが、強調表示されることを特徴とする。
【０００８】
本発明の階層化メニューリストの表示方法の強調表示は、図形の全体の明るさが均等に変化して表示されるか、又は図形の明るさが左右の方向に向かって次第に強調されるように変化して表示されることを特徴とする。
【発明の効果】
【０００９】
本発明によれば、画面形状から文字数を制限しなければならない階層化されたメニューリストの画面表示において、階層化表示を容易にすることができるため、表示のための装置コストを押さえることが可能となる。また表示画面の図形から容易に階層化が理解できるため、操作における新たなユーザ負担を伴わない。
【発明を実施するための最良の形態】
【００１０】
本発明による階層化メニューリストの表示方法の実施形態について、図を用いて説明する。図１は、本発明による階層化メニューリストの表示方法を用いたリスト図である。第１階層を示す図１ａにおいて、表示画面１０−１の第１行目１１−１に表示されるＳｅｌｅｃｔｉｖｅ  Ｃａｌｌは、選択呼出しを示し、表示された項目の項目欄(以下、背景欄という)の右辺部に右方向を示す図形１４−１を有する。第２行目１２−１に表示されるＳｑｅｌｃｈ  Ｌｅｖｅｌは、スケルチのレベルを示し、同様に、背景欄の右辺部に右方向を示す図形１４−２を有する。第３行目１３−１に表示されるＬＣＤ  Ｂｒｉｇｈｔｎｅｓｓは、表示画面の明るさを示し、背景欄には方向を示す図形を有していない。
【００１１】
第２階層を示す図１ｂにおいて、表示画面１０−２の第１行目１１−２に表示される２−Ｔｏｎｅは、２つの音を１つづつ順に鳴らす方法を示し、表示された項目の背景欄の右辺部に右方向を示す図形１４−３を、左辺部に左方向を示す図形１５−１を有する。第２行目１２−２に表示されるＤＴＭＦは、２つの音を重ねて鳴らす方法を示し、背景欄の右辺部に右方向を示す図形１４−４を、左辺部に左方向を示す図形１５−２を有する。
【００１２】
第３階層を示す図１ｃにおいて、表示画面１０−３の第１行目１１−３に表示されるＤｅｃｏｄｅは、符号化された音の解読を示し、表示された項目の背景欄の右辺部に右方向を示す図形１４−５を、左辺部に左方向を示す図形１５−３を有する。第２行目１２−３に表示されるＥｎｃｏｄｅは、音のディジタル値への符号化を示し、背景欄の左辺部に左方向を示す図形１５−４を有する。
【００１３】
再び図１ａにおいて、第１行目１１−１のＳｅｌｅｃｔｉｖｅ  Ｃａｌｌは周知の方法により選択されて、斜線で示されるように表示が反転している。右方向を示す図形１４−１が周知の方法により選択されると、画面は第２階層を示す図１ｂに変わるか、図１ａにオーバーラップして図１ｂが表示される。
【００１４】
図１ｂの第１行目１１−２の２−Ｔｏｎｅは、同様に選択されて、表示が反転している。左方向を示す図形１５−１が同様に選択されると、画面は再び第１階層を示す図１ａに戻る。右方向を示す図形１４−３が選択されると、画面は第３階層を示す図１ｃに変わるか、図１ｂにオーバーラップして図１ｃが表示される。
【００１５】
図１ｃの第１行目１１−３のＤｅｃｏｄｅは、選択されて、表示が反転している。左方向を示す図形１５−３が選択されると、画面は再び第２階層を示す図１ｂに戻る。右方向を示す図形１４−５が選択されると、画面には第４階層を示すリストが表示されるか、図１ｃにオーバーラップして表示される。また図１では、右方向を次階層、左方向を前階層に対応させているが、方向と階層の関係は、これに限定されるものではない。
【００１６】
図２は、本発明による方向を示す図形の強調表示を示す図である。図２ａにおいて、方向を示す図形２０の三角形の部分が、周知の方法により図形全体の明るさが均等に変化するか、右方向に向かって次第に明るさが増して、階層化の存在と方向が強調される。図２ｂにおいて、方向を示す図形２１の羽印の部分が、周知の方法により右方向に繰り返し順次点滅して、階層化の存在と方向が強調される。図２の強調方法は、階層化の表示が強調される方法であれば良いため、この二例に限定されるものではない。
【００１７】
以上説明したように本発明によると、限られた表示エリアにおいて、リスト幅とほぼ同じ幅で複雑な階層概念の存在と方向とをユーザに分かり易く提示することが可能となるため、表示のための装置コストを押さえることが可能となる。また表示画面の図形から容易に階層化が理解できるため、操作における新たなユーザ負担を伴わない。さらに携帯電話機、カーナビゲーションなどの画面の階層化リスト表示に適用することができる。
【図面の簡単な説明】
【００１８】
【図１】本発明の階層化メニューリストの表示方法によるリスト図。
【図２】本発明による方向を示す図形の強調表示を示す図。
【図３】階層化されたメニューリストを表示した表示画面図。
【符号の説明】
【００１９】
１０−１〜３  表示画面
１１−１〜３  第１行目
１２−１〜３  第２行目
１３−１  第３行目
１４−１〜５  右方向を示す図形
１５−１〜４  左方向を示す図形
２０、２１  方向を示す図形
３０  表示画面
３１  第１行目
３２  第２行目
３３  第３行目
【図１】
2008040968.tif 000003
【図２】
2008040968.tif 000004
【図３】
2008040968.tif 000005